【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
製品の製造段階から廃棄段階に至るまでの各種流通段階で発生する製品履歴を追跡可能なトレーサビリティシステムであり、
事業者の識別情報と、該事業者と取引可能な事業者の識別情報と、を対応付けて記憶する第一の記憶手段と、
前記事業者の識別情報と、製品の識別情報と、前記製品履歴の照会など該製品履歴に対する処理の権限有無を示す情報と、を対応付けて記憶する第二の記憶手段と、
前記製品の識別情報と、該製品履歴情報と、を対応付けて記憶する第三の記憶手段と、
第一の事業者の識別情報とともに、第二の事業者の識別情報、該第二の事業者に係る前記製品の識別情報、該製品履歴の種別を示す情報及び前記処理の内容を示す情報を含むアクセス要求を受信する手段と、
該受信した第一の事業者の識別情報及び該第二の事業者の識別情報と、前記第一の記憶手段に記憶されている情報とに基づき、該第一の事業者が前記第二の事業者と取引関係があるか否かを判断する手段と、
該判断の結果、取引関係がある場合に、前記受信した第一の事業者の識別情報及び第二の事業者に係る製品の識別情報と、前記第二の記憶手段に記憶されている情報に基づき、該第二の事業者に係る製品履歴に対する前記処理の権限有無を判断する手段と、
該判断の結果、該処理の権限が有り、かつ該処理の内容が前記製品履歴情報の照会を示す場合に、前記受信した製品の識別情報と、前記第三の記憶手段に記憶されている情報とに基づき、該当製品履歴情報を取得する手段と、
該製品履歴情報を出力する手段と、
を有することを特徴とするトレーサビリティシステム。
【請求項２】
前記処理の内容が前記製品履歴情報の登録または変更または削除を示す場合には、前記第三の記憶手段に記憶されている情報を更新する手段をさらに有することを特徴とする請求項１に記載のトレーサビリティシステム。
【請求項３】
製造業者、販売業者、保守業者、廃棄業者など複数の事業者の各々が所有する複数の端末と、該端末とネットワークを介して接続された複数のサーバとから構成され、製品の製造段階から廃棄段階に至るまでの各種流通段階で発生する製品履歴を追跡可能なトレーサビリティシステムにおける第一のサーバであり、
前記事業者の識別情報と、該事業者と取引可能な事業者の識別情報と、を対応付けて記憶する第一の記憶部と、
製品の識別情報と、前記製品履歴の照会など該製品履歴に対する処理の権限有無を判断するサーバのＵＲＬと、を対応付けて記憶する第二の記憶部と、
前記製品履歴の種別を示す情報と、該製品履歴の格納場所を示す情報と、を対応付けて記憶する第三の記憶部と、
第一の端末から、該第一の端末ユーザである第一の事業者の識別情報とともに、第二の事業者の識別情報、該第二の事業者に係る前記製品の識別情報、該製品履歴の種別を示す情報、及び該製品履歴の参照など処理の内容を示す情報を含むアクセス要求を前記ネットワークを介して受信し、該第一の事業者の識別情報及び該第二の事業者の識別情報と、前記第一の記憶部に記憶されている情報とに基づき、前記第一の事業者が前記第二の事業者と取引関係があるか否かを判断し、取引関係がある場合に、前記受信した製品の識別情報と、前記第二の記憶部に記憶されている情報に基づき、該製品履歴に対する前記処理の権限有無を判断する第二のサーバのＵＲＬを取得し、該第二のサーバへ前記第一の事業者の識別情報及び前記製品の識別情報を前記ネットワークを介して送信し、前記第二のサーバから、前記処理の権限有／無を示す情報を前記ネットワークを介して受信し、該処理の権限が有りの場合に、前記受信した製品履歴の種別を示す情報と前記第三の記憶部に記憶されている情報とに基づき、該製品履歴の格納場所を示す情報を特定し、該特定情報に応じた情報を前記ネットワークを介して前記第一の端末へ送信する情報処理部と、
を有することを特徴とするサーバ。
【請求項４】
前記製品履歴の格納場所を示す情報は、電子タグ、または、前記ネットワークに接続されている前記第一のサーバとは別のサーバのＵＲＬであり、
前記情報処理部は、前記特定した製品履歴の格納場所を示す情報が前記電子タグの場合は、該電子タグにおける前記製品履歴の格納位置を示す情報を前記ネットワークを介して前記第一の端末へ送信し、前記特定した製品履歴の格納場所を示す情報が前記別のサーバのＵＲＬである場合は、該別のサーバへ前記ネットワークを介して前記製品履歴情報を要求し、該別のサーバから前記製品履歴情報を前記ネットワークを介して受信し、該製品履歴情報を前記ネットワークを介して前記第一の端末へ送信する、ことを特徴とする請求項３に記載のサーバ。
【請求項５】
前記情報処理部は、前記受信した処理の内容が前記製品履歴情報の登録または変更または削除を示す場合には、該第一の事業者の識別情報及び該第二の事業者の識別情報と、前記第一の記憶部に記憶されている情報とに基づき、前記第一の事業者が前記第二の事業者と取引関係があるか否かを判断し、取引関係がある場合に、前記受信した製品の識別情報と、前記第二の記憶部に記憶されている情報に基づき、該製品履歴に対する前記処理の権限有無を判断する第二のサーバのＵＲＬを取得し、該第二のサーバへ前記第一の事業者の識別情報及び前記製品の識別情報を前記ネットワークを介して送信し、前記第二のサーバ、前記処理の権限有／無を示す情報を前記ネットワークを介して受信し、該処理の権限が有りの場合に、前記受信した製品履歴の種別を示す情報と前記第三の記憶部に記憶されている情報とに基づき、該製品履歴の格納場所を示す情報を特定し、該特定情報が前記第一のサーバとは別のサーバのＵＲＬである場合、該処理の要求を前記ネットワークを介して該別のサーバへ送信し、該別のサーバから該処理の結果を前記ネットワークを介して受信し、該処理結果を前記ネットワークを介して前記第一の端末へ送信する、ことを特徴とする請求項３に記載のサーバ。
【請求項６】
事業者の識別情報と、該事業者と取引可能な事業者の識別情報と、を対応付けて記憶する第一の記憶手段と、
前記事業者の識別情報と、製品の識別情報と、前記製品履歴の照会など該製品履歴に対する処理の権限有無を示す情報と、を対応付けて記憶する第二の記憶手段と、
前記製品の識別情報と、該製品履歴情報と、を対応付けて記憶する第三の記憶手段と、を具備し、製品の製造段階から廃棄段階に至るまでの各種流通段階で発生する製品履歴を追跡可能なトレーサビリティシステムが、
第一の事業者の識別情報とともに、第二の事業者の識別情報、該第二の事業者に係る前記製品の識別情報、該製品履歴の種別を示す情報及び前記処理の内容を示す情報を含むアクセス要求を受信する処理と、
該受信した第一の事業者の識別情報及び該第二の事業者の識別情報と、前記第一の記憶手段に記憶されている情報とに基づき、該第一の事業者が前記第二の事業者と取引関係があるか否かを判断する処理と、
該判断の結果、取引関係がある場合に、前記受信した第一の事業者の識別情報及び第二の事業者に係る製品の識別情報と、前記第二の記憶手段に記憶されている情報に基づき、該第二の事業者に係る製品履歴に対する前記処理の権限有無を判断する処理と、
該判断の結果、該処理の権限が有り、かつ該処理の内容が前記製品履歴情報の照会を示す場合に、前記受信した製品の識別情報と、前記第三の記憶手段に記憶されている情報とに基づき、該当製品履歴情報を取得する処理と、
該製品履歴情報を出力する処理と、
を実行することを特徴とするトレーサビリティ方法。
【請求項７】
前記トレーサビリティシステムが、前記処理の内容が前記製品履歴情報の登録または変更または削除を示す場合には、前記第三の記憶手段に記憶されている情報を更新する処理を実行することを特徴とする請求項６に記載のトレーサビリティ方法。
【請求項８】
製造業者、販売業者、保守業者、廃棄業者など複数の事業者の各々が所有する複数の端末と、該端末とネットワークを介して接続された複数のサーバとから構成され、製品の製造段階から廃棄段階に至るまでの各種流通段階で発生する製品履歴を追跡可能なトレーサビリティシステムにおける第一のサーバに、
第一の端末から、該第一の端末ユーザである第一の事業者の識別情報とともに、第二の事業者の識別情報、該第二の事業者に係る前記製品の識別情報、該製品履歴の種別を示す情報、及び該製品履歴の参照など処理の内容を示す情報を含むアクセス要求を前記ネットワークを介して受信する処理と、
該第一の事業者の識別情報及び該第二の事業者の識別情報と、記憶部に記憶されている、前記事業者の識別情報及び該事業者と取引可能な事業者の識別情報の対応付け情報とに基づき、前記第一の事業者が前記第二の事業者と取引関係があるか否かを判断する処理と、
取引関係がある場合に、前記受信した製品の識別情報と、前記記憶部に記憶されている、製品の識別情報、該製品履歴に対する前記処理の権限有無を判断するサーバのＵＲＬの対応付け情報とに基づき、該製品履歴に対する前記処理の権限有無を判断する第二のサーバのＵＲＬを取得する処理と、
該第二のサーバへ前記第一の事業者の識別情報及び前記製品の識別情報を前記ネットワークを介して送信する処理と、
前記第二のサーバから、前記処理の権限有／無を示す情報を前記ネットワークを介して受信する処理と、
該処理の権限が有りを示す場合に、前記受信した製品履歴の種別を示す情報と、前記記憶部に記憶されている、前記製品履歴の種別を示す情報と該製品履歴の格納場所を示す情報の対応付け情報とに基づき、該製品履歴の格納場所を示す情報を特定する処理と、
該特定情報に応じた情報を前記ネットワークを介して前記第一の端末へ送信する処理とを実行させることを特徴とするトレーサビリティプログラム。
【請求項９】
前記製品履歴の格納場所を示す情報は、電子タグ、または、前記ネットワークに接続されている前記第一のサーバとは別のサーバのＵＲＬであり、
前記第一のサーバに、
前記特定した製品履歴の格納場所を示す情報が前記電子タグの場合は、該電子タグにおける前記製品履歴の格納位置を示す情報を前記ネットワークを介して前記第一の端末へ送信する処理を実行させ、
前記特定した製品履歴の格納場所を示す情報が前記別のサーバのＵＲＬである場合は、該別のサーバへ前記ネットワークを介して前記製品履歴情報を要求する処理と、該別のサーバから前記製品履歴情報を前記ネットワークを介して受信する処理と、該製品履歴情報を前記ネットワークを介して前記第一の端末へ送信する処理とを実行させることを特徴とする請求項８に記載のトレーサビリティプログラム。
【請求項１０】
前記第一のサーバに、
前記受信した処理の内容が前記製品履歴情報の登録または変更または削除を示す場合には、該第一の事業者の識別情報及び該第二の事業者の識別情報と、前記記憶部に記憶されている前記事業者の識別情報及び該事業者と取引可能な事業者の識別情報の対応付け情報とに基づき、前記第一の事業者が前記第二の事業者と取引関係があるか否かを判断する処理と、
取引関係がある場合に、前記受信した製品の識別情報と、前記記憶部に記憶されている、製品の識別情報、該製品履歴に対する前記処理の権限有無を判断するサーバのＵＲＬの対応付け情報に基づき、該製品履歴に対する前記処理の権限有無を判断する第二のサーバのＵＲＬを取得する処理と、
該第二のサーバへ前記第一の事業者の識別情報及び前記製品の識別情報を前記ネットワークを介して送信する処理と、
前記第二のサーバから、前記処理の権限有／無を示す情報を前記ネットワークを介して受信する処理と、該処理の権限が有りの場合に、前記受信した製品履歴の種別を示す情報と前記記憶部に記憶されている、前記製品履歴の種別を示す情報と該製品履歴の格納場所を示す情報の対応付け情報とに基づき、該製品履歴の格納場所を示す情報を特定する処理と、
該特定情報が前記第一のサーバとは別のサーバのＵＲＬである場合、該処理の要求を前記ネットワークを介して該別のサーバへ送信する処理と、
該別のサーバから該処理の結果を前記ネットワークを介して受信する処理と、
該処理結果を前記ネットワークを介して前記第一の端末へ送信する処理とを実行させることを特徴とする請求項８に記載のトレーサビリティプログラム。
【手続補正２】
【補正対象書類名】明細書
【補正対象項目名】発明の名称
【補正方法】変更
【補正の内容】
【発明の名称】トレーサビリティシステム、サーバ、トレーサビリティ方法、およびトレーサビリティプログラム
【手続補正３】
【補正対象書類名】明細書
【補正対象項目名】０００７
【補正方法】変更
【補正の内容】
【０００７】
上記課題を解決する本発明のトレーサビリティシステムシステムは、製品の製造段階から廃棄段階に至るまでの各種流通段階で発生する製品履歴を追跡可能なトレーサビリティシステムであり、以下の手段を備える。
すなわち、前記トレーサビリティシステムは、事業者の識別情報と、該事業者と取引可能な事業者の識別情報と、を対応付けて記憶する第一の記憶手段と、前記事業者の識別情報と、製品の識別情報と、前記製品履歴の照会など該製品履歴に対する処理の権限有無を示す情報と、を対応付けて記憶する第二の記憶手段と、前記製品の識別情報と、該製品履歴情報と、を対応付けて記憶する第三の記憶手段とを備える。
また、前記トレーサビリティシステムは、第一の事業者の識別情報とともに、第二の事業者の識別情報、該第二の事業者に係る前記製品の識別情報、該製品履歴の種別を示す情報及び前記処理の内容を示す情報を含むアクセス要求を受信する手段を備える。
また、前記トレーサビリティシステムは、該受信した第一の事業者の識別情報及び該第二の事業者の識別情報と、前記第一の記憶手段に記憶されている情報とに基づき、該第一の事業者が前記第二の事業者と取引関係があるか否かを判断する手段を備える。
また、前記トレーサビリティシステムは、該判断の結果、取引関係がある場合に、前記受信した第一の事業者の識別情報及び第二の事業者に係る製品の識別情報と、前記第二の記憶手段に記憶されている情報に基づき、該第二の事業者に係る製品履歴に対する前記処理の権限有無を判断する手段を備える。
また、前記トレーサビリティシステムは、該判断の結果、該処理の権限が有り、かつ該処理の内容が前記製品履歴情報の照会を示す場合に、前記受信した製品の識別情報と、前記第三の記憶手段に記憶されている情報とに基づき、該当製品履歴情報を取得する手段を備える。
また、前記トレーサビリティシステムは、該製品履歴情報を出力する手段を備える。
【手続補正４】
【補正対象書類名】明細書
【補正対象項目名】０００８
【補正方法】変更
【補正の内容】
【０００８】
前記トレーサビリティシステムが、前記処理の内容が前記製品履歴情報の登録または変更または削除を示す場合には、前記第三の記憶手段に記憶されている情報を更新する手段をさらに有するとしてもよい。
【手続補正５】
【補正対象書類名】明細書
【補正対象項目名】０００９
【補正方法】変更
【補正の内容】
【０００９】
本発明のサーバは、製品の製造段階から廃棄段階に至るまでの各種流通段階で発生する製品履歴を追跡可能なトレーサビリティシステムにおける第一のサーバである。前記トレーサビリティシステムは、製造業者、販売業者、保守業者、廃棄業者など複数の事業者の各々が所有する複数の端末と、該端末とネットワークを介して接続された複数のサーバとから構成されている。
前記サーバは、前記事業者の識別情報と、該事業者と取引可能な事業者の識別情報と、を対応付けて記憶する第一の記憶部と、製品の識別情報と、前記製品履歴の照会など該製品履歴に対する処理の権限有無を判断するサーバのＵＲＬと、を対応付けて記憶する第二の記憶部と、前記製品履歴の種別を示す情報と、該製品履歴の格納場所を示す情報と、を対応付けて記憶する第三の記憶部とを有する。
また、前記サーバは、第一の端末から、該第一の端末ユーザである第一の事業者の識別情報とともに、第二の事業者の識別情報、該第二の事業者に係る前記製品の識別情報、該製品履歴の種別を示す情報、及び該製品履歴の参照など処理の内容を示す情報を含むアクセス要求を前記ネットワークを介して受信し、該第一の事業者の識別情報及び該第二の事業者の識別情報と、前記第一の記憶部に記憶されている情報とに基づき、前記第一の事業者が前記第二の事業者と取引関係があるか否かを判断し、取引関係がある場合に、前記受信した製品の識別情報と、前記第二の記憶部に記憶されている情報に基づき、該製品履歴に対する前記処理の権限有無を判断する第二のサーバのＵＲＬを取得し、該第二のサーバへ前記第一の事業者の識別情報及び前記製品の識別情報を前記ネットワークを介して送信し、前記第二のサーバから、前記処理の権限有／無を示す情報を前記ネットワークを介して受信し、該処理の権限が有りの場合に、前記受信した製品履歴の種別を示す情報と前記第三の記憶部に記憶されている情報とに基づき、該製品履歴の格納場所を示す情報を特定し、該特定情報に応じた情報を前記ネットワークを介して前記第一の端末へ送信する情報処理部を有する。
【手続補正６】
【補正対象書類名】明細書
【補正対象項目名】００１０
【補正方法】変更
【補正の内容】
【００１０】
前記製品履歴の格納場所を示す情報は、電子タグ、または、前記ネットワークに接続されている前記第一のサーバとは別のサーバのＵＲＬであり、
前記サーバの情報処理部は、前記特定した製品履歴の格納場所を示す情報が前記電子タグの場合は、該電子タグにおける前記製品履歴の格納位置を示す情報を前記ネットワークを介して前記第一の端末へ送信し、前記特定した製品履歴の格納場所を示す情報が前記別のサーバのＵＲＬである場合は、該別のサーバへ前記ネットワークを介して前記製品履歴情報を要求し、該別のサーバから前記製品履歴情報を前記ネットワークを介して受信し、該製品履歴情報を前記ネットワークを介して前記第一の端末へ送信する、としてもよい。
【手続補正７】
【補正対象書類名】明細書
【補正対象項目名】００１１
【補正方法】変更
【補正の内容】
【００１１】
前記サーバの情報処理部は、前記受信した処理の内容が前記製品履歴情報の登録または変更または削除を示す場合には、該第一の事業者の識別情報及び該第二の事業者の識別情報と、前記第一の記憶部に記憶されている情報とに基づき、前記第一の事業者が前記第二の事業者と取引関係があるか否かを判断し、取引関係がある場合に、前記受信した製品の識別情報と、前記第二の記憶部に記憶されている情報に基づき、該製品履歴に対する前記処理の権限有無を判断する第二のサーバのＵＲＬを取得し、該第二のサーバへ前記第一の事業者の識別情報及び前記製品の識別情報を前記ネットワークを介して送信し、前記第二のサーバ、前記処理の権限有／無を示す情報を前記ネットワークを介して受信し、該処理の権限が有りの場合に、前記受信した製品履歴の種別を示す情報と前記第三の記憶部に記憶されている情報とに基づき、該製品履歴の格納場所を示す情報を特定し、該特定情報が前記第一のサーバとは別のサーバのＵＲＬである場合、該処理の要求を前記ネットワークを介して該別のサーバへ送信し、該別のサーバから該処理の結果を前記ネットワークを介して受信し、該処理結果を前記ネットワークを介して前記第一の端末へ送信する、としてもよい。
【手続補正８】
【補正対象書類名】明細書
【補正対象項目名】００１２
【補正方法】変更
【補正の内容】
【００１２】
本発明のトレーサビリティ方法は、事業者の識別情報と、該事業者と取引可能な事業者の識別情報と、を対応付けて記憶する第一の記憶手段と、前記事業者の識別情報と、製品の識別情報と、前記製品履歴の照会など該製品履歴に対する処理の権限有無を示す情報と、を対応付けて記憶する第二の記憶手段と、前記製品の識別情報と、該製品履歴情報と、を対応付けて記憶する第三の記憶手段と、を具備し、製品の製造段階から廃棄段階に至るまでの各種流通段階で発生する製品履歴を追跡可能なトレーサビリティシステムが以下の処理を実行するものである。
すなわち、前記トレーサビリティシステムは、第一の事業者の識別情報とともに、第二の事業者の識別情報、該第二の事業者に係る前記製品の識別情報、該製品履歴の種別を示す情報及び前記処理の内容を示す情報を含むアクセス要求を受信する処理と、該受信した第一の事業者の識別情報及び該第二の事業者の識別情報と、前記第一の記憶手段に記憶されている情報とに基づき、該第一の事業者が前記第二の事業者と取引関係があるか否かを判断する処理と、該判断の結果、取引関係がある場合に、前記受信した第一の事業者の識別情報及び第二の事業者に係る製品の識別情報と、前記第二の記憶手段に記憶されている情報に基づき、該第二の事業者に係る製品履歴に対する前記処理の権限有無を判断する処理と、該判断の結果、該処理の権限が有り、かつ該処理の内容が前記製品履歴情報の照会を示す場合に、前記受信した製品の識別情報と、前記第三の記憶手段に記憶されている情報とに基づき、該当製品履歴情報を取得する処理と、該製品履歴情報を出力する処理と、を実行する。
【手続補正９】
【補正対象書類名】明細書
【補正対象項目名】００１３
【補正方法】変更
【補正の内容】
【００１３】
前記トレーサビリティ方法において、前記トレーサビリティシステムが、前記処理の内容が前記製品履歴情報の登録または変更または削除を示す場合には、前記第三の記憶手段に記憶されている情報を更新する処理を実行するとしてもよい。
【手続補正１０】
【補正対象書類名】明細書
【補正対象項目名】００１４
【補正方法】変更
【補正の内容】
【００１４】
本発明のトレーサビリティプログラムは、製品の製造段階から廃棄段階に至るまでの各種流通段階で発生する製品履歴を追跡可能なトレーサビリティシステムにおける第一のサーバに以下の処理を実行させるプログラムである。なお、前記トレーサビリティシステムは、製造業者、販売業者、保守業者、廃棄業者など複数の事業者の各々が所有する複数の端末と、該端末とネットワークを介して接続された複数のサーバとから構成されている。
前記トレーサビリティプログラムは、第一の端末から、該第一の端末ユーザである第一の事業者の識別情報とともに、第二の事業者の識別情報、該第二の事業者に係る前記製品の識別情報、該製品履歴の種別を示す情報、及び該製品履歴の参照など処理の内容を示す情報を含むアクセス要求を前記ネットワークを介して受信する処理と、該第一の事業者の識別情報及び該第二の事業者の識別情報と、記憶部に記憶されている、前記事業者の識別情報及び該事業者と取引可能な事業者の識別情報の対応付け情報とに基づき、前記第一の事業者が前記第二の事業者と取引関係があるか否かを判断する処理と、取引関係がある場合に、前記受信した製品の識別情報と、前記記憶部に記憶されている、製品の識別情報、該製品履歴に対する前記処理の権限有無を判断するサーバのＵＲＬの対応付け情報とに基づき、該製品履歴に対する前記処理の権限有無を判断する第二のサーバのＵＲＬを取得する処理と、該第二のサーバへ前記第一の事業者の識別情報及び前記製品の識別情報を前記ネットワークを介して送信する処理と、前記第二のサーバから、前記処理の権限有／無を示す情報を前記ネットワークを介して受信する処理と、該処理の権限が有りを示す場合に、前記受信した製品履歴の種別を示す情報と、前記記憶部に記憶されている、前記製品履歴の種別を示す情報と該製品履歴の格納場所を示す情報の対応付け情報とに基づき、該製品履歴の格納場所を示す情報を特定する処理と、  該特定情報に応じた情報を前記ネットワークを介して前記第一の端末へ送信する処理とを前記第一のサーバに実行させる。
【手続補正１１】
【補正対象書類名】明細書
【補正対象項目名】００１５
【補正方法】変更
【補正の内容】
【００１５】
前記トレーサビリティプログラムにおいて、前記製品履歴の格納場所を示す情報は、電子タグ、または、前記ネットワークに接続されている前記第一のサーバとは別のサーバのＵＲＬであり、前記第一のサーバに、前記特定した製品履歴の格納場所を示す情報が前記電子タグの場合は、該電子タグにおける前記製品履歴の格納位置を示す情報を前記ネットワークを介して前記第一の端末へ送信する処理を実行させ、前記特定した製品履歴の格納場所を示す情報が前記別のサーバのＵＲＬである場合は、該別のサーバへ前記ネットワークを介して前記製品履歴情報を要求する処理と、該別のサーバから前記製品履歴情報を前記ネットワークを介して受信する処理と、該製品履歴情報を前記ネットワークを介して前記第一の端末へ送信する処理とを実行させるとしてもよい。
【手続補正１２】
【補正対象書類名】明細書
【補正対象項目名】００１６
【補正方法】変更
【補正の内容】
【００１６】
前記トレーサビリティプログラムにおいて、前記第一のサーバに、前記受信した処理の内容が前記製品履歴情報の登録または変更または削除を示す場合には、該第一の事業者の識別情報及び該第二の事業者の識別情報と、前記記憶部に記憶されている前記事業者の識別情報及び該事業者と取引可能な事業者の識別情報の対応付け情報とに基づき、前記第一の事業者が前記第二の事業者と取引関係があるか否かを判断する処理と、取引関係がある場合に、前記受信した製品の識別情報と、前記記憶部に記憶されている、製品の識別情報、該製品履歴に対する前記処理の権限有無を判断するサーバのＵＲＬの対応付け情報に基づき、該製品履歴に対する前記処理の権限有無を判断する第二のサーバのＵＲＬを取得する処理と、該第二のサーバへ前記第一の事業者の識別情報及び前記製品の識別情報を前記ネットワークを介して送信する処理と、前記第二のサーバから、前記処理の権限有／無を示す情報を前記ネットワークを介して受信する処理と、該処理の権限が有りの場合に、前記受信した製品履歴の種別を示す情報と前記記憶部に記憶されている、前記製品履歴の種別を示す情報と該製品履歴の格納場所を示す情報の対応付け情報とに基づき、該製品履歴の格納場所を示す情報を特定する処理と、該特定情報が前記第一のサーバとは別のサーバのＵＲＬである場合、該処理の要求を前記ネットワークを介して該別のサーバへ送信する処理と、該別のサーバから該処理の結果を前記ネットワークを介して受信する処理と、該処理結果を前記ネットワークを介して前記第一の端末へ送信する処理とを実行させるとしてもよい。